(57)【要約】【課題】従来よりも取り付け強度を高めたコネクタを提供する。【解決手段】コネクタ１は、後板部３１の上縁部から前方に延びた上板部３０と、後板部３１の右縁部及び左縁部からそれぞれ前方に延びた右板部３２ａと左板部３２ｂとを有する。コネクタ１は、右板部３２ａの下方縁部に突設された右はんだ付け部３４ａと、左板部３２ｂの下方縁部に突設された左はんだ付け部３４ｂを基板４０に差し込んではんだ付けし、上板部３０の前方縁部から上方に延設されたフランジ部３３を筐体４１にねじ止めする。上板部３０と右板部３２ａとの間には右スリット３６ａが設けられており、上板部３０と左板部３２ｂとの間には左スリット３６ｂが設けられている。【選択図】図４
2008171725.tif 000002
【特許請求の範囲】
【請求項１】
コンタクトと、前記コンタクトを保持するハウジングと、前記ハウジングの少なくとも一部を覆うように曲げ加工されたシェルとを備えるコネクタであって、
前記シェルは、第１の取付部を有する第１の板部と、第２の取付部を有する第２の板部と、前記第１の板部と前記第２の板部との間に規定される縁部の一端で開口すると共に前記縁部に沿って延設されたスリットとを備えることを特徴とするコネクタ。
【請求項２】
前記スリットは、前記縁部の前記一端から他端まで延在している、
請求項１のコネクタ。
【請求項３】
第３の板部と第４の板部とを更に備え、
前記第１の板部は、前記縁部の前記他端側に延在している第１の縁部と、前記縁部の前記一端側に延在している第２の縁部とを有し、
前記第１の板部は、前記第１の縁部で前記第４の板部から延設され、
前記第１の取付部は、前記第２の縁部からフランジ状に延設され、
前記第２の板部は、前記縁部の前記他端側に延在している第３の縁部と、前記縁部に対向するように延在している第４の縁部とを有し、
前記第２の板部は、前記第３の縁部で前記第４の板部から延設され、
前記第２の取付部は、前記第４の縁部に配設されている、
請求項２のコネクタ。
【発明の詳細な説明】
【技術分野】
【０００１】
本発明は、シールドを備えるコネクタに関し、特に、複数個所で固定されるシールドを備えるコネクタに関する。
【背景技術】
【０００２】
特許文献１には、ハウジングとハウジングを覆うシールドとを備えたコネクタが記載されている。特許文献１のシールドは、１枚の導電部材を曲げ加工して形成された上板部と側板部とを有し、更に、筐体にシールドを固定するためのフランジが上板部から延設されている。
【０００３】
【特許文献１】特開２００５−３８７２５号公報
【発明の開示】
【発明が解決しようとする課題】
【０００４】
近年、コネクタの信号伝送速度の高速化に伴ってコネクタのグランドを確実にすることが求められている。グランドを確実にするために、シールドのフランジを筐体に接続するとともに側板部を基板にはんだ付けするとよい。
【０００５】
しかしながら、特許文献１のように、上板部と側板部との間の全域にわたって上板部と側板部とが一体となっていると、上板部のねじ止め部に加えられた力が側板部のはんだ付け部に集中するため、はんだクラックが発生するおそれがある。
【０００６】
本発明は、従来よりもはんだ付け部における取り付け強度を高めたコネクタを提供することを目的とする。
【課題を解決するための手段】
【０００７】
第１のコネクタは、コンタクトと、コンタクトを保持するハウジングと、ハウジングの少なくとも一部を覆うように曲げ加工されたシェルとを備えるコネクタであって、当該シェルが、第１の取付部を有する第１の板部と、第２の取付部を有する第２の板部と、第１の板部と第２の板部との間に規定される縁部の一端で開口すると共に縁部に沿って延設されたスリットとを備えている。
【０００８】
第２のコネクタは、第１のコネクタにおいて、スリットが縁部の一端から他端まで延在している。
【０００９】
第３のコネクタは、第２のコネクタにおいて、第３の板部と第４の板部とを更に備える。第１の板部は、縁部の他端側に延在している第１の縁部と、縁部の一端側に延在している第２の縁部とを有している。第１の板部は、第１の縁部で第４の板部から延設されている。第１の取付部は、第２の縁部からフランジ状に延設されている。第２の板部は、縁部の他端側に延在している第３の縁部と、縁部に対向するように延在している第４の縁部とを有している。第２の板部は、第３の縁部で第４の板部から延設されている。第２の取付部は、第４の縁部に配設されている。
【発明の効果】
【００１０】
この発明によれば、従来よりもはんだ付け部における取り付け強度の信頼性を高めたコネクタを得ることができる。
【発明を実施するための最良の形態】
【００１１】
図１の斜視図及び図２の分解斜視図に示されるように、本実施形態のコネクタ１は、ハウジング１０とシェル１１と２つのコンタクト１２とを備えている。なお、左右方向、上下方向、前後方向は、説明の便宜上規定したものである。
【００１２】
図２に示すように、ハウジング１０は絶縁性材料で直方体状に形成されており、前方に向かって長方形状に開口したスロット２０を有している。スロット２０には、相手方コネクタを嵌合可能なように形成されている。ハウジング１０は、上方を向いた上面２２と、下方を向いた下面２３と、右側を向いた右側面２４ａと、左側を向いた左側面２４ｂと、後方を向いた後面２５とを有している。更に、ハウジング１０は、右側面２４ａ及び左側面２４ｂをそれぞれ左右方向外側からスロット２０内に貫通した２つのスリット２１を有している。
【００１３】
図２に示すように、２つのコンタクト１２はそれぞれＬ字状に形成されている。コンタクト１２は、ハウジング１０の後面２５外側からスロット２０内に貫通するように延びた直線部と、ハウジング１０の後面２５とシェル１１との間で当該直線部から下方に延びて基板に接続可能に形成された他の直線部とを有している。
【００１４】
図２の分解斜視図及び図３の斜視図に示すように、シェル１１は、上板部３０と右板部３２ａと左板部３２ｂと後板部３１とを有する。シェル１１は、１枚の導電性の板材を曲げ加工することによって形成されている。
【００１５】
上板部３０は、ハウジング１０の上面２２を覆うように前後左右方向に広がる長方形状をもつ。上板部３０は、前方縁部から上方に向かって延設されたフランジ部３３を有する。フランジ部３３には、フランジ部３３を前後方向に貫くねじ穴３７が形成されている。
【００１６】
後板部３１は、上板部３０の後方縁部から下方に向かって延設され、ハウジング１０の後面２５を覆うように上下左右方向に広がる長方形状をもつ。後板部３１は、下方縁部から下方に向けて突設された２つの後ろはんだ付け部３４ｃを有する。
【００１７】
右板部３２ａ及び左板部３２ｂは、それぞれ、後板部３１の右縁部及び左縁部から前方に向かって延設され、ハウジング１０の右側面２４ａ及び左側面２４ｂを覆うように前後方向及び上下方向に広がる長方形状をもつ。
【００１８】
右板部３２ａ及び左板部３２ｂは、それぞれ、下縁部から下方に突設された右はんだ付け部３４ａと左はんだ付け部３４ｂとを有する。右はんだ付け部３４ａ及び左はんだ付け部３４ｂは、それぞれ、右板部３２ａと左板部３２ｂの下方縁部中央よりも前方に配設されている。
【００１９】
右板部３２ａ及び左板部３２ｂは、それぞれ、前方縁部から前方に突設された爪部３５を有する。各爪部３５は、先端部が内側に向かって屈曲している。図１に示すように、ハウジング１０とシェル１１が組み合わされた状態で、２つの爪部３５が２つのスリット２１に嵌め合わされる。
【００２０】
図２に示すように上板部３０と右板部３２ａとの間には、上板部３０の右縁部及び右板部３２ａの上縁部に沿って前後に延びた右スリット３６ａが設けられている。右スリット３６ａは、前方に開口しており、前方から後方に向かって後板部３１まで達している。図３に示すように上板部３０と左板部３２ｂとの間には、上板部３０の左縁部及び左板部３２ｂの上縁部に沿って前後に延びた左スリット３６ｂが設けられている。左スリット３６ｂは、前方に開口しており、前方から後方に向かって後板部３１まで達している。なお、右スリット３６ａ及び左スリット３６ｂは、完全に後板部３１まで延びていなくてもよいが、前方から後方に向かって後板部３１まで延びていることが好ましい。
【００２１】
図４の断面図に示すようにコネクタ１は、前後左右方向に広がる基板４０にコンタクト１２、右はんだ付け部３４ａ、左はんだ付け部３４ｂ、及び、後ろはんだ付け部３４ｃを差し込んで基板４０上の配線にはんだ付けすることにより基板４０上に取り付けられる。
【００２２】
更に、基板４０を搭載している筐体４１は、上下左右方向に広がる導電性部材で形成されており、前後方向に貫通した開口４２とねじ穴４３とを有している。コネクタ１は、筐体４１の開口４２を通じてスロット２０の開口を前方に露出するように取り付けられる。更に、筐体４１のねじ穴４３とフランジ部３３のねじ穴３７にねじ４４を挿入することにより、シェル１１を筐体４１に取り付けられる。
【００２３】
コネクタ１は、右スリット３６ａ及び左スリット３６ｂを備えているため、上板部３０が撓むことによりねじ止めによって筐体４１とシェル１１の間に働く力を上板部３０で吸収することができ、右はんだ付け部３４ａ及び左はんだ付け部３４ｂに加わる力を従来よりも弱めて右はんだ付け部３４ａ及び左はんだ付け部３４ｂにおける取り付け強度を高めることができる。
【図面の簡単な説明】
【００２４】
【図１】コネクタの斜視図である。
【図２】図１のコネクタの分解斜視図である。
【図３】図１のコネクタを後方から見た斜視図である。
【図４】図１のコネクタを筐体と基板に取り付けたときの断面図である。
【符号の説明】
【００２５】
１    コネクタ
１０  ハウジング
１１  シェル
１２  コンタクト
２０  スロット
２１  スリット
２２、２３      上面、下面
２４ａ、２４ｂ  右側面、左側面
２５            後面
３０            上板部
３１            後板部
３２ａ、３２ｂ  右板部、左板部
３３            フランジ部
３４ａ、３４ｂ  右はんだ付け部、左はんだ付け部
３４ｃ          後ろはんだ付け部
３５            爪部
３６ａ、３６ｂ  右スリット、左スリット
３７            ねじ穴
４０  基板
４１  筐体
４２  開口
４３  ねじ穴
４４  ねじ
【図１】
2008171725.tif 000003
【図２】
2008171725.tif 000004
【図３】
2008171725.tif 000005
【図４】
2008171725.tif 000006